(57)【要約】【課題】カンゾウ属植物のように、地下部が医薬品等の原料として利用される薬用植物であって当該地下部が地中で複雑かつ広範に発達するものの当該地下部を簡便且つ効率的に収穫することができる薬用植物の地下部の切断装置及びトラクタを提供する。【解決手段】切断装置１は、薬用植物が生育している土壌に対して略鉛直方向に切込みを入れて薬用植物の地下部を切断するカッター３１と、カッター３１の移動方向に延び、カッター３１を後端部で支持するアーム２１と、アーム２１を回転可能に支持する支持体１１と、支持体１１に設けられ、支持体１１をトラクタに連結するアタッチメント４１と、を備える。【選択図】図１
2020036623.tif 000002
【特許請求の範囲】
【請求項１】
薬用植物が生育している土壌に対して略鉛直方向に切込みを入れて薬用植物の地下部を切断する切断手段と、
前記切断手段の移動方向に延び、前記切断手段を後端部で支持するアームと、
前記アームを回転可能に支持する支持体と、
前記支持体に設けられ、前記支持体をトラクタに連結する連結手段と、
を備える薬用植物の地下部の切断装置。
【請求項２】
前記切断手段は、直線状の刃が設けられた平板状のカッターであり、前記アームの後端部に固定されている、
請求項１に記載の薬用植物の地下部の切断装置。
【請求項３】
前記カッターの下端部には、前記切断手段の移動方向に延び、前記カッターの土壌に対する切込み深度を調整するガイドが設けられている、
請求項２に記載の薬用植物の地下部の切断装置。
【請求項４】
前記切断手段は、円盤状のカッターであり、前記アームの後端部に回転可能に支持されている、
請求項１に記載の薬用植物の地下部の切断装置。
【請求項５】
前記カッターは、直径が７０ｃｍ〜１２０ｃｍであり、厚さが１．５ｍｍ〜５．０ｍｍである、
請求項４に記載の薬用植物の地下部の切断装置。
【請求項６】
前記支持体と前記アームとに接続され、前記切断手段を土壌に向けて押し付けるように荷重を前記切断手段に付加する荷重付加手段をさらに備える、
請求項１から５のいずれか１項に記載の薬用植物の地下部の切断装置。
【請求項７】
前記荷重付加手段は、３００ｋｇ〜８００ｋｇの荷重を前記切断手段に付加する、
請求項６に記載の薬用植物の地下部の切断装置。
【請求項８】
請求項１から７のいずれか１項に記載の薬用植物の地下部の切断装置に設けられた前記連結手段と連結可能な連結手段を備えるトラクタ。
【発明の詳細な説明】
【技術分野】
【０００１】
本発明は、薬用植物の地下部を簡便且つ効率的に収穫することができる薬用植物の地下部の切断装置及びトラクタに関するものである。
【背景技術】
【０００２】
カンゾウ属植物はマメ科に属し、ロシア南部、モンゴル、中国北部〜中国西部、欧州等の乾燥地帯に自生する多年生植物である。一部のカンゾウ属植物の根やストロン（地下茎）を乾燥させたものは甘草と呼ばれ、漢方処方の７０％以上に処方される最も汎用性の高い生薬原料として知られており、古くから鎮けい薬、鎮痛薬、鎮咳薬、去たん薬等として利用されている。また、その主成分であるグリチルリチン酸は、肝機能強化作用、抗腫瘍作用、抗炎症作用、抗ウィルス作用、抗アレルギー作用、抗アトピー作用等を有しており、医薬品原料として極めて有用であるばかりでなく、ショ糖の約１５０倍という独特な甘味を有しているため、医薬品に限らず、醤油や菓子等の甘味料としても大量に消費されている。
【０００３】
現在、我が国の市場に流通している甘草は、殆ど全てが野生品で賄われており、中国等の原産国からの輸入に頼っているのが現状であるが、近年では、これらの地域での資源の枯渇が問題となっていることから、国内における各種方法によるカンゾウ属植物の圃場栽培が検討されている（例えば、特許文献１参照）。
【０００４】
しかしながら、カンゾウ属植物は、根やストロンを土壌に深くかつ広域に張り廻らす性質があるため、これらを収穫するのが極めて煩雑であるという問題がある。図１０は、ウラルカンゾウの地下部の形状を示した図である。このように、カンゾウ属植物は、土壌中で根やストロンが複雑に絡み合って縦ばかりでなく横方向にも伸びているため、通常の根菜類の収穫に用いられる各種堀取り機（例えば、特許文献２〜４参照）では、地中に強固に張り付いたカンゾウ属植物の根やストロンが堀取り機に絡まってトラクタが前進することができなくなるため、これらを利用することができなかった（図７参照）。そのため、現状ではバックホー等の重機を用いて土壌を広範に掘り起こし、根やストロンを手作業で収拾する方法を採らざるを得ず（図８参照）、収穫に甚大な時間と労力を要していた。
【先行技術文献】
【特許文献】
【０００５】
【特許文献１】特開２０１１−５０２７３号公報
【特許文献２】特開２０１２−１３９１９０号公報
【特許文献３】特開２００４−２８３０５７号公報
【特許文献４】特開平８−２０５６４８号公報
【発明の概要】
【発明が解決しようとする課題】
【０００６】
本発明は上記従来技術の有する問題点に鑑みなされたものであり、その目的とするところは、カンゾウ属植物のように、地下部が医薬品等の原料として利用される薬用植物であって当該地下部が地中で複雑かつ広範に発達するものの当該地下部を簡便且つ効率的に収穫することができる薬用植物の地下部の切断装置及びトラクタを提供することにある。
【課題を解決するための手段】
【０００７】
上記目的を達成するために、本発明の第１の観点に係る薬用植物の地下部の切断装置は、
薬用植物が生育している土壌に対して略鉛直方向に切込みを入れて薬用植物の地下部を切断する切断手段と、
前記切断手段の移動方向に延び、前記切断手段を後端部で支持するアームと、
前記アームを回転可能に支持する支持体と、
前記支持体に設けられ、前記支持体をトラクタに連結する連結手段と、
を備える。
【０００８】
前記切断手段は、直線状の刃が設けられた平板状のカッターであり、前記アームの後端部に固定されてもよい。
【０００９】
前記カッターの下端部には、前記切断手段の移動方向に延び、前記カッターの土壌に対する切込み深度を調整するガイドが設けられてもよい。
【００１０】
前記切断手段は、円盤状のカッターであり、前記アームの後端部に回転可能に支持されてもよい。
【００１１】
前記カッターは、直径が７０ｃｍ〜１２０ｃｍであり、厚さが１．５ｍｍ〜５．０ｍｍであってもよい。
【００１２】
前記支持体と前記アームとに接続され、前記切断手段を土壌に向けて押し付けるように荷重を前記切断手段に付加する荷重付加手段をさらに備えてもよい。
【００１３】
前記荷重付加手段は、３００ｋｇ〜８００ｋｇの荷重を前記切断手段に付加してもよい。
【００１４】
上記目的を達成するために、本発明の第２の観点に係るトラクタは、
前記薬用植物の地下部の切断装置に設けられた前記連結手段と連結可能な連結手段を備える。
【発明の効果】
【００１５】
本発明の薬用植物の地下部の切断装置及びトラクタによれば、薬用植物の地下部を予め回収容易な長さに切断した後に地下部の堀取りを行うので、カンゾウ属植物のように地中で地下部が複雑かつ広範に発達するものであっても、根菜類等の堀取りに用いられる通常の堀取り装置等を利用して、地下部を容易に堀取ることができ、目的物を極めて効率よく収穫することができる。
【図面の簡単な説明】
【００１６】
【図１】本発明で利用される切断装置の一例を示す分解斜視図である。
【図２】本発明で利用される切断装置の他の一例を示す分解斜視図である。
【図３】本発明で利用される切断装置の更に他の一例を示す概略側面図である。
【図４】図４の切断装置の概略正面図である。
【図５】本発明の収穫方法によるウラルカンゾウのストロンの切断処理の様子を示した図である。
【図６】本発明の収穫方法によるウラルカンゾウの地下部の収穫の様子を示した図である。
【図７】堀取り機のみによるウラルカンゾウの地下部の収穫の様子を示した図である。
【図８】バックホーによるウラルカンゾウの地下部の収穫の様子を示した図である。
【図９】実施例１並びに比較例１及び２の収穫結果を示した表である。
【図１０】ウラルカンゾウの地下部の形状を示した図である。
【発明を実施するための形態】
【００１７】
以下、本発明に係る薬用植物の地下部の収穫方法並びにそれに用いる切断装置及びトラクタの実施の形態について詳細に説明する。
【００１８】
本発明の収穫方法が適用可能な薬用植物は、根、ストロン、根茎、塊茎等の地下部が医薬品や健康食品の原料として利用されるものである。斯かる薬用植物の具体例としては、カンゾウ、シャクヤク、ダイオウ、オケラ若しくはホソバオケラ、クズ、ヒナタイノコズチ若しくはトウイノコズチ、クララ、ゲンチアナ、マオウ、ベラドンナ、ボウフウ、モッコウ、イタドリ若しくはオオイタドリ、アカネ、キバナオウギ若しくはナイモウオウギ、キカラスウリ、ショウブ、ヨロイグサ、チガヤ、タンポポ、アシ、アマドコロ、ホオズキ、ボタン、ニッケイ、クコ、エゾウコギ、テンダイウヤク、ツルドクダミ、ミヤマトベラ又はこれらの同属植物等が挙げられる。これらの中では、特にカンゾウ又はその同属植物等の地中で地下部が複雑に発達する品種に対して好適に利用することができる。
【００１９】
本発明の収穫方法では、まず、薬用植物が生育している土壌に複数の連続した切込みを入れ、当該土壌中の当該切込み部に係る当該薬用植物の地下部を切断する（切断工程）。
【００２０】
本発明における土壌への切込みの形成方法は、薬用植物の地下部を切断できる方法であれば特に限定されるものではないが、具体例を示せば、トラクタの後部やバックホーのアタッチメント等に切断装置を連結し、当該切断装置を土壌に所定の深さまで切込ませながらトラクタ等を走行させることにより切込みを形成する方法等が挙げられる。
【００２１】
本発明で利用される切断装置の構成例について以下に説明するが、切断装置の構成はこれらに限定されるものではない。
【００２２】
図１は、本発明で利用される切断装置の一例を示す分解斜視図である。図１において、切断装置１は、支持体１１、アーム２１、カッター３１、アタッチメント４１等から構成されている。支持体１１の前端側部（図面奥側）にはアタッチメント４１が設けられており、アタッチメント４１を介して切断装置１をトラクタ等の後方に着脱自在に連結できるようになっている。支持体１１の後端部（図面右手前）にはアーム２１が略中央部分で回動自在に軸支されており、アーム２１の後端部（図面右手前）には平板状のカッター３１の上端部（図面上側）が固定されており、カッター３１の下端部（図面下側）には、カッター３１の切込み深度を調整、維持するためのガイド５１が設けられている。斯かる構成により、切断装置１は、アーム２１に回動運動が加えられることによりカッター３１が上下に振動しながら土壌に切込みを形成するようになっている。
【００２３】
なお、図１の例では、切断装置１は１枚の平板状のカッターを備えるものであったが、２枚以上の平板状のカッターを切断方向に対して略平行に並設した複連式の切断装置として構成し、１度の走行で２条以上の畝間を切断できるようにしてもよい。
【００２４】
図２は、本発明で利用される切断装置の他の一例を示す分解斜視図である。図２において、切断装置２は、支持体１２、アーム２２、カッター３２、アタッチメント４２等から構成されている。支持体１２の前端側部（図面左奥）にはアタッチメント４２が設けられており、アタッチメント４２を介して切断装置２をトラクタ等の後方に着脱自在に連結できるようになっている。支持体１２の後端部（図面右手前）にはアーム２２の上端部（図面上側）が固定されており、アーム２２の下端部（図面下側）には円盤状（コールタ型）のカッター３２が略鉛直に、進行方向に回転自在に軸支されている。斯かる構成により、切断装置２は、カッター３２が回転しながら土壌に略鉛直方向に切込みを形成するようになっている。
【００２５】
なお、図２の例では、切断装置２は１枚の円盤状のカッターを備えるものであったが、２枚以上の円盤状のカッターを切断方向に対して略平行に並設した複連式の切断装置として構成し、１度の走行で２条以上の畝間を切断できるようにしてもよい。
【００２６】
図３は、本発明で利用される切断装置の更に他の一例を示す概略側面図であり、図４はその概略正面図である。図３及び４において、切断装置３は、支持体１３、アーム２３１、２３２及び２３３、カッター３３１及び３３２、アタッチメント４３、油圧シリンダ６３等から構成されている。支持体１３の後端部（図面左側）にはアタッチメント４３が設けられており、アタッチメント４３及びトラクタ側アタッチメント４４を介して切断装置３をトラクタ４の前方に着脱自在に連結できるようになっている。支持体１３の前端部（図面右側）にはアーム２３１及び２３２の上端部（図面上側）が回動自在に軸支されているとともに、アーム２３１と２３２とは中間部分でアーム２３３を介して連結されており、これによりアーム２３１及び２３２が支持体１３の前端部回りを連動して回動するようになっている。また、アーム２３３の略中央部には、油圧シリンダ６３が連結されており、更にアーム２３１及び２３２の下端部には、それぞれ円盤状（コールタ型）のカッター３３１及び３３２が略鉛直に且つ互いに略平行に、進行方向に回転自在に軸支されている。斯かる構成により、切断装置３は、２連式の切断装置としてカッター３３１及び３３２が回転しながら土壌５に略鉛直方向に切込みを形成し、１度の走行で２条の畝間を切断できるようになっている。なお、２連式カッターの直径及び厚さは特に限定されるものではなく、薬用植物の種類、土壌の性質、収穫効率等を勘案して適宜設計されるものであるが、直径は７０〜１２０ｃｍ、好ましくは８０〜１００ｃｍがよく、厚さは１．５〜５．０ｍｍ、好ましくは２．０〜４．０ｍｍがよい。
【００２７】
また、切断装置３では、油圧シリンダ６３によりカッター３３１及び３３２に荷重を掛けることにより、カッター３３１及び３３２の回動（上下動）、カッター３３１及び３３２による切込みの深さ及び薬用植物の地下部の切断に必要な荷重を調整する。なお、カッターに荷重を加える手段は油圧シリンダに限定されるものではなく、例えば油圧シリンダに替えて又は油圧シリンダと併用して適正重量のウエイトを用いて調整する構成としても構わない。なお、２連式カッターに加える荷重値は特に限定されるものではなく、薬用植物の種類、土壌の性質、収穫効率等を勘案して適宜設計されるものであるが、後述するようにウラルカンゾウのストロンの切断に有効な切込みの深さ３０ｃｍまで切込みを入れるのに必要な荷重は好ましくは３００〜８００ｋｇ、特に好ましくは４００〜５００ｋｇである。２連式カッターに加える荷重が上記範囲未満では地下部の切断が不良となる一方、上記範囲を超えると切込みの深さが過剰となり斯かる付加により切断工程が遅滞するので何れも好ましくない。
【００２８】
なお、図３の例では、切断装置３は２枚の円盤状のカッターを備えるものであったが、カッターの枚数は１枚のみ又は３枚以上であっても構わない。
【００２９】
上記各実施形態に示した切断装置１〜３を連結するトラクタは特に制限されるものではないが、切断装置１及び２は、特に小型・中型トラクタの後方に連結して薬用植物を中・低速で収穫するのに適しており、切断装置３は、特に大型トラクタの前方に連結して薬用
植物を高速で収穫するのに適している。
【００３０】
本発明の切断工程では、上記切断装置により土壌に複数の連続した切込みを入れ、薬用植物のストロン等の地下部を切断するものであるが、薬用植物の圃場では、通常、複数の畝が形成されており、薬用植物は当該畝上に列状に栽培されているので、典型的には、切込みは畝間に沿って略等間隔に相互に略平行に直線状に形成されることが好ましい。但し、本発明の切断工程で形成する切込みは、不等間隔であっても、相互に非平行であってもよいし、ジグザグ状、曲線状等の非直線状であってもよい。また、切込みを、縦、横、斜め方向に組み合わせて、格子状又は斜め格子状に形成しても構わない。更に、切込みは、土壌に対して通常は略鉛直方向に形成することが好ましいが、非鉛直方向に形成しても構わない。
【００３１】
また、切込みの深さは、薬用植物の地下部を収穫に適した長さに切断さえできれば特に限定されるものではなく、収穫する薬用植物の品種や栽培年数、実際の地下部の発達具合等に合わせて適宜設定することができる。具体例を示せば、ウラルカンゾウの地下部の切断の場合の有効な切込みの深さは、３０〜７０ｃｍ、好ましくは３５〜４０ｃｍである。
【００３２】
次いで、本発明の収穫方法においては、切断工程により切込みを入れた土壌を堀上げ（堀上げ工程）、堀上げた土壌中の地下部を回収する（回収工程）。
【００３３】
本発明における土壌の堀上げ方法及び地下部の回収方法は特に限定されるものではないが、例えば、トラクタの後部にスラットチェーンコンベア型ディガー等の堀取り装置を連結し、トラクタ等を走行させることにより堀上げと回収を同時に行う方法等が挙げられる。本発明の収穫方法では、切断工程により薬用植物の地下部が回収容易な長さに切断されているので、地中で地下部が複雑かつ広範に発達した薬用植物であっても、根菜類等の堀取りに用いられる通常の堀取り装置を利用して、地下部を容易に堀取ることができ、目的物を極めて効率よく収穫することができる。また、本発明の収穫方法の対象となる薬用植物は、地下部を加工したり抽出処理等を行って医薬品や健康食品の原料とするものであるので、収穫物の一部が切断されていても商品価値が低下することがない。
【００３４】
但し、本発明の収穫方法においては、堀上げ工程と回収工程とを必ずしも同時に行う必要はなく、堀上げ工程と回収工程とを別々に行うようにしてもよいし、逆に、上述した堀取り装置と切断装置とを一体化した装置を用いることにより、切断工程、堀上げ工程及び回収工程を同時に処理するようにしても構わない。
【００３５】
また、本発明の収穫方法においては、堀上げ工程と回収工程は、必ずしも切断工程と同時に又は切断工程終了から短期間内に行われる必要はなく、切断工程終了から長期間経過後（例えば数カ月から１年程）に行うものであってもよい。地下部の切断後に直ぐに堀上げ・回収を行わずにそのまま土壌中に留置しておくと、切断によるストレスの付加により、地下部の重量が増加したり有効成分の含有量が増加したりして収量が向上する場合があるからである。
【００３６】
本発明の収穫方法は、典型的には、圃場で栽培された薬用植物を収穫する際に利用されるが、野生に生育している薬用植物を採取する際にも好適に利用できる。本発明の対象となる薬用植物は、野生では乾燥地帯等の強硬な土壌に生育しているものが多く、地下部が地中で複雑かつ広範に発達する品種でなくとも採取が困難なものが多い。従って、野生品に対しても、本発明の収穫方法を採用すれば、土壌への切込みにより地下部が切断されてその回収が容易になるとともに、当該切込みにより土壌自体の堀上げも容易になるので、採取効率を著しく改善させることができる。
【００３７】
次に、本発明の薬用植物の地下部の収穫方法を実施例により更に詳細に説明するが、本発明はこれらの実施例に限定されるものではない。
［実施例１］
【００３８】
本発明の収穫方法によるウラルカンゾウの地下部の収穫
【００３９】
本発明の収穫方法により、圃場で栽培されたウラルカンゾウ（栽培９年目）の地下部を収穫した。
【００４０】
まず、前処理として、トラクタに連結した振動平板刃型の切断装置（図１に示した構成のもの）を用いて、予め、ウラルカンゾウが栽培されている圃場の畝間に直線状に連続して深さ約４０ｃｍの切込みを入れることにより、ストロンの切断処理を行った（図５参照）。なお、切込みの間隔は堀取り機のコンベア幅と同じとした。次いで、堀取り機としてトラクタに連結したスラットチェーンコンベア型ディガーを用いて、切込み間の土壌を堀上げると同時に、根及びストロンを回収することにより、ウラルカンゾウの地下部を連続的に収穫した（図６参照）。なお、収穫の作業速度は、約０．０６ｍ／ｓであった。
［比較例１］
【００４１】
堀取り機のみによるウラルカンゾウの地下部の収穫（従来法）
【００４２】
実施例１と略同じ条件で栽培されたウラルカンゾウの圃場において、前処理（ストロンの切断処理）を行わずに、実施例１と同じ堀取り機でウラルカンゾウの地下部の収穫を行おうとしたが、ディガーに地下部が絡まってトラクタが停止してしまい、収穫ができなかった（図７参照）。
［比較例２］
【００４３】
バックホーによるウラルカンゾウの地下部の収穫（従来法）
【００４４】
実施例１と略同じ条件で栽培されたウラルカンゾウの圃場において、前処理（ストロンの切断処理）を行わずに、バックホーを用いて土壌の堀上げを行い、手作業により地下部の回収を行うことにより、ウラルカンゾウの地下部を収穫した（図８参照）。
【００４５】
実施例１並びに比較例１及び２の収穫結果を、図９の表に示した。表から明らかなとおり、本発明の収穫方法（実施例１）によれば、バックホーを利用する従来法（比較例２）に比べて、前処理（ストロンの切断処理）を含めても２倍以上の収穫効率が得られた。従って、堀取り装置と切断装置とを一体化した収穫装置を利用すれば、従来法に比べて４倍以上の収穫効率が達成し得ることがわかった。また、本発明の収穫方法による地下部の回収率は平均で９５％程度であり、実用的にも全く問題のないものであった。
【００４６】
（付記）
（付記１）
地下部が医薬品又は健康食品の原料となる薬用植物の前記地下部の収穫方法であって、
前記薬用植物が生育している土壌に複数の連続した切込みを入れ、前記土壌中の前記切込み部に係る前記薬用植物の前記地下部を切断する切断工程と、
前記切断工程により切込みが入れられた前記土壌を堀上げる堀上げ工程と、
前記堀上げ工程により堀上げた前記土壌中の前記地下部を回収する回収工程と、
を有することを特徴とする、薬用植物の地下部の収穫方法。
【００４７】
（付記２）
前記切断工程は、前記切込みを直線状に入れることを特徴とする、
付記１に記載の薬用植物の地下部の収穫方法。
【００４８】
（付記３）
前記切断工程は、前記切込みを相互に略平行に入れることを特徴とする、
付記１又は２に記載の薬用植物の地下部の収穫方法。
【００４９】
（付記４）
前記切断工程は、前記切込みを略等間隔に入れることを特徴とする、
付記１乃至３の何れか１つに記載の薬用植物の地下部の収穫方法。
【００５０】
（付記５）
前記切断工程は、前記切込みを格子状又は斜め格子状に入れることを特徴とする、
付記１乃至４の何れか１つに記載の薬用植物の地下部の収穫方法。
【００５１】
（付記６）
前記切断工程は、前記切込みを前記土壌に対して略鉛直方向に入れることを特徴とする、
付記１乃至５の何れか１つに記載の薬用植物の地下部の収穫方法。
【００５２】
（付記７）
前記堀上げ工程及び前記回収工程は、前記切断工程と略同時に又は前記切断工程終了から短期間内に行われることを特徴とする、
付記１乃至６の何れか１つに記載の薬用植物の地下部の収穫方法。
【００５３】
（付記８）
前記堀上げ工程及び前記回収工程は、前記切断工程終了から長期間経過後に行われることを特徴とする、
付記１乃至６の何れか１つに記載の薬用植物の地下部の収穫方法。
【００５４】
（付記９）
前記薬用植物は、カンゾウ、シャクヤク、ダイオウ、オケラ若しくはホソバオケラ、クズ、ヒナタイノコズチ若しくはトウイノコズチ、クララ、ゲンチアナ、マオウ、ベラドンナ、ボウフウ、モッコウ、イタドリ若しくはオオイタドリ、アカネ、キバナオウギ若しくはナイモウオウギ、キカラスウリ、ショウブ、ヨロイグサ、チガヤ、タンポポ、アシ、アマドコロ、ホオズキ、ボタン、ニッケイ、クコ、エゾウコギ、テンダイウヤク、ツルドクダミ、ミヤマトベラ又はこれらの同属植物である、
付記１乃至８の何れか１つに記載の薬用植物の地下部の収穫方法。
【００５５】
（付記１０）
前記薬用植物は、カンゾウ又はその同属植物である、
付記１乃至９の何れか１つに記載の薬用植物の地下部の収穫方法。
【００５６】
（付記１１）
前記地下部は、根、ストロン、根茎又は塊茎である、
付記１乃至１０の何れか１つに記載の薬用植物の地下部の収穫方法。
【００５７】
（付記１２）
前記切り込みの深さは、３０〜７０ｃｍである、
付記１０又は１１に記載の薬用植物の地下部の収穫方法。
【００５８】
（付記１３）
付記１乃至１２の何れか１つに記載の薬用植物の地下部の収穫方法に用いる前記地下部の切断装置であって、
略鉛直に且つ進行方向に回転自在に設けられた少なくとも１枚の円盤状のカッターからなる切断手段と、
前記切断手段に荷重を加える荷重付加手段と、
前記切断装置をトラクタの前方に着脱自在に連結するための連結手段と、
を備えてなる、薬用植物の地下部の切断装置。
【００５９】
（付記１４）
前記切断手段は、互いに平行に設けられた２枚のカッターからなる２連式カッターである、
付記１３に記載の薬用植物の地下部の切断装置。
【００６０】
（付記１５）
前記カッターは、直径が７０〜１２０ｃｍであり、厚さが１．５〜５．０ｍｍである、
付記１３又は１４に記載の薬用植物の地下部の切断装置。
【００６１】
（付記１６）
前記荷重付加手段は、油圧シリンダである、
付記１３乃至１５の何れか１つに記載の薬用植物の地下部の切断装置。
【００６２】
（付記１７）
前記荷重付加手段により前記切断手段に加える荷重は、３００〜８００ｋｇである、
付記１３乃至１６の何れか１つに記載の薬用植物の地下部の切断装置。
【００６３】
（付記１８）
付記１３乃至１７の何れか１つに記載の薬用植物の地下部の切断装置を前方に連結してなるトラクタ。
【産業上の利用可能性】
【００６４】
上述したように、本発明の薬用植物の地下部の収穫方法並びにそれに用いる切断装置及びトラクタによれば、薬用植物の地下部を簡便且つ効率的に収穫することができるので、カンゾウ属植物のように地中で地下部が複雑かつ広範に発達する品種の薬用植物の地下部の収穫に利用した場合極めて有用である。
【符号の説明】
【００６５】
１、２、３  切断装置
４  トラクタ
５  土壌
１１、１２、１３  支持体
２１、２２、２３１、２３２、２３３  アーム
３１、３２、３３１、３３２  カッター
４１、４２、４３  アタッチメント
４４  トラクタ側アタッチメント
５１  ガイド
６３  油圧シリンダ
７４  トラクタ前輪
【図１】
2020036623.tif 000003
【図２】
2020036623.tif 000004
【図３】
2020036623.tif 000005
【図４】
2020036623.tif 000006
【図５】
2020036623.tif 000007
【図６】
2020036623.tif 000008
【図７】
2020036623.tif 000009
【図８】
2020036623.tif 000010
【図９】
2020036623.tif 000011
【図１０】
2020036623.tif 000012